(57)【要約】【課題】操作者以外のユーザーにも操作パネルの状態を漏れなく確認させることが可能なリモート操作システムを提供する。【解決手段】第１操作端末は、パネル画面に対する操作を受け付けると、受け付けた操作を示す操作データを電子機器に送信し、電子機器は、操作データを受信すると、操作データで示される操作が操作パネルに対して行われた場合に操作パネルに表示すべきパネル画面を表示するための画面データを第１操作端末および第２操作端末に送信し、第１操作端末および第２操作端末は、画面データを受信すると、現在表示中のパネル画面に代えて、今回受信した画面データに基づくパネル画面を表示する。【選択図】図１５
2019090871.tif 000002
【特許請求の範囲】
【請求項１】
操作パネルを有する電子機器と、前記電子機器に通信可能に接続され、画面を表示し操作を受け付ける複数の操作端末と、を備え、
前記複数の操作端末のうち、第１操作端末および前記第１操作端末以外の第２操作端末は、前記操作パネルに表示されるパネル画面を表示し、
前記第１操作端末は、前記パネル画面に対する操作を受け付ける一方、前記第２操作端末は、前記パネル画面に対する操作は受け付けず、
前記第１操作端末は、前記パネル画面に対する操作を受け付けると、受け付けた操作を示す操作データを前記電子機器に送信し、
前記電子機器は、前記操作データを受信すると、前記操作データで示される操作である対象操作を認識し、前記対象操作が前記操作パネルに対して行われた場合に前記操作パネルに表示すべき前記パネル画面を表示するための画面データを前記第１操作端末および前記第２操作端末に送信し、
前記第１操作端末および前記第２操作端末は、前記画面データを受信すると、現在表示中の前記パネル画面に代えて、今回受信した前記画面データに基づく前記パネル画面を表示することを特徴とするリモート操作システム。
【請求項２】
前記電子機器は、前記対象操作が設定項目の設定値を設定する操作であった場合、前記対象操作を受けた対象設定項目を認識し、前記対象設定項目の設定値を前記操作パネルに対して前記対象操作が行われた場合の設定値に設定するための設定データを前記第１操作端末および前記第２操作端末に送信し、
前記第１操作端末および前記第２操作端末は、記録開始操作と記録終了操作とを受け付け、前記記録開始操作の受け付けから前記記録終了操作の受け付けまでに受信した前記設定データを１まとめにした設定再現情報を記憶することを特徴とする請求項１に記載のリモート操作システム。
【請求項３】
前記設定再現情報が記憶された前記操作端末は、予め定められた設定再現操作を受け付けると、記憶済みの前記設定再現情報を前記電子機器に送信し、
前記電子機器は、前記設定再現情報を受信すると、受信した前記設定再現情報に含まれる前記設定データである受信設定データに対応する設定項目の設定値を前記受信設定データに基づき設定することを特徴とする請求項２に記載のリモート操作システム。
【請求項４】
前記設定再現情報が記憶された前記操作端末は、記憶済みの前記設定再現情報に含まれる前記設定データを編集する編集操作を受け付けることを特徴とする請求項２または３に記載のリモート操作システム。
【請求項５】
前記第１操作端末および前記第２操作端末は、記録開始操作と記録終了操作とを受け付け、前記記録開始操作の受け付けから前記記録終了操作の受け付けまでに行った前記パネル画面の表示処理を再現するための表示再現情報を記憶することを特徴とする請求項１〜４のいずれか１項に記載のリモート操作システム。
【請求項６】
前記表示再現情報が記憶された前記操作端末は、予め定められた表示再現操作を受け付けると、記憶済みの前記表示再現情報に対応する前記表示処理を再現することを特徴とする請求項５に記載のリモート操作システム。
【請求項７】
前記第１操作端末は、表示制限を行うための表示制限操作を受け付けると、前記電子機器に表示制限命令を送信し、
前記電子機器は、前記表示制限命令を受信すると、前記表示制限が解除されるまで、前記操作パネルの表示を停止するとともに、前記第２操作端末への前記画面データの送信を停止することを特徴とする請求項１〜６のいずれか１項に記載のリモート操作システム。
【発明の詳細な説明】
【技術分野】
【０００１】
本発明は、操作パネルを有する電子機器と複数の操作端末とを備えるリモート操作システムに関する。
【背景技術】
【０００２】
従来、複数の画像形成装置が互いに通信可能に接続されたシステムが知られている。このようなシステムは、たとえば、特許文献１に開示されている。
【０００３】
特許文献１では、サポートを受けるユーザーにより使用される被サポート側の画像形成装置に対して、当該ユーザーをサポートするヘルプ操作者により使用されるサポート側の画像形成装置が通信可能に接続される。各画像形成装置は操作パネル（操作／表示部）を備える。
【０００４】
サポート側の画像形成装置は、操作パネルに画面を表示し、ヘルプ操作者から操作を受け付ける。サポート側の画像形成装置は、ヘルプ操作者から操作を受け付けると、被サポート側の画像形成装置にＵＩ指示書を送信する。
【０００５】
被サポート側の画像形成装置は、サポート側の画像形成装置からのＵＩ指示書を受信すると、当該受信したＵＩ指示書に基づき操作パネルに画面を表示する。このときに被サポート側の操作パネルに表示される画面は、サポート側の操作パネルがヘルプ操作者から操作を受け付けたときに表示していた画面である。また、サポート側の操作パネルに表示される画面内の複数のソフトウェアボタンのうち、サポート操作者から操作を受けたソフトウェアボタンが点滅表示される。
【先行技術文献】
【特許文献】
【０００６】
【特許文献１】特開２００９−１６３５４８号公報
【発明の概要】
【発明が解決しようとする課題】
【０００７】
特許文献１の構成では、サポート側の画像形成装置のユーザーに対して操作パネルの操作指導を行うことができる。すなわち、ヘルプ操作者が指導者となる。たとえば、会社などユーザーが複数存在する環境では、複数のユーザー対して同時に操作指導が行われる。
【０００８】
特許文献１の構成において、複数のユーザーに対して操作指導を同時に行う場合には、サポート側の画像形成装置の近傍（操作パネルの画面が見える場所）に複数のユーザーが集められる。その状態で、ヘルプ操作者（指導者）は、サポート側の操作パネルを操作する。そして、複数のユーザー（受講者）は、操作パネルの状態（操作パネルの画面がどのように遷移したかなど）を確認する。操作パネルの状態を確認することができれば、複数のユーザーはヘルプ操作者がどのような操作を操作パネルに対して行ったかが分かる。
【０００９】
ここで、操作指導を受けるユーザーが数人程度であれば、全てのユーザーに操作パネルの状態を確認させることができる。しかし、操作指導を受けるユーザーが大人数になった場合、ユーザーによっては、操作パネルが見え難くなり、操作パネルの状態確認が困難になる。
【００１０】
本発明は、上記課題を解決するためになされたものであり、操作者以外のユーザーにも操作パネルの状態を漏れなく確認させることが可能なリモート操作システムを提供することを目的とする。
【課題を解決するための手段】
【００１１】
上記目的を達成するために、本発明のリモート操作システムは、操作パネルを有する電子機器と、電子機器に通信可能に接続され、画面を表示し操作を受け付ける複数の操作端末と、を備える。複数の操作端末のうち、第１操作端末および第１操作端末以外の第２操作端末は、操作パネルに表示されるパネル画面を表示する。第１操作端末は、パネル画面に対する操作を受け付ける一方、第２操作端末は、パネル画面に対する操作は受け付けない。第１操作端末は、パネル画面に対する操作を受け付けると、受け付けた操作を示す操作データを電子機器に送信する。電子機器は、操作データを受信すると、操作データで示される操作である対象操作を認識し、対象操作が操作パネルに対して行われた場合に操作パネルに表示すべきパネル画面を表示するための画面データを第１操作端末および第２操作端末に送信する。第１操作端末および第２操作端末は、画面データを受信すると、現在表示中のパネル画面に代えて、今回受信した画面データに基づくパネル画面を表示する。
【００１２】
本発明の構成では、第１操作端末のユーザーが電子機器に対してリモート操作（第１操作端末に表示されたパネル画面に対する操作）を行うことにより第１操作端末から電子機器に操作データが送信され、それに伴い操作パネルのパネル画面が遷移した場合（操作パネルの状態が変化した場合）、操作パネルの遷移後のパネル画面が第１操作端末だけでなく第２操作端末にも表示される。これにより、リモート操作の操作者（第１操作端末のユーザー）以外の特定ユーザー（第２操作端末のユーザー）にも操作パネルの状態を漏れなく確認させることができる。たとえば、操作パネルの操作指導などを行う場合に有効である。この場合には、指導者の操作端末が第１操作端末となり、受講者の操作端末が第２操作端末となるよう予め設定しておけばよい。
【００１３】
また、本発明の構成では、第２操作端末のユーザーからすると、電子機器の近傍に赴かなくても、操作パネルの状態を確認することができるので、利便性が良い。さらに、本発明の構成では、第２操作端末はパネル画面に対する操作を受け付けない。すなわち、第２操作端末は電子機器に操作データを送信しない。したがって、第１操作端末および第２操作端末の両方から電子機器に操作データが送信されるという不都合は生じない。
【発明の効果】
【００１４】
本発明の構成では、操作者以外のユーザーにも操作パネルの状態を漏れなく確認させることができる。
【図面の簡単な説明】
【００１５】
【図１】本発明の一実施形態によるリモート操作システムの構成を示す図
【図２】本発明の一実施形態によるリモート操作システムのＭＦＰに設置された操作パネルが表示するパネル画面を示す図
【図３】本発明の一実施形態によるリモート操作システムのＭＦＰに設置された操作パネルが表示するパネル画面を示す図
【図４】本発明の一実施形態によるリモート操作システムのＭＦＰに設置された操作パネルが表示するパネル画面を示す図
【図５】本発明の一実施形態によるリモート操作システムのＭＦＰに設置された操作パネルが表示するパネル画面を示す図
【図６】本発明の一実施形態によるリモート操作システムのＭＦＰに設置された操作パルが表示するリモート操作設定画面を示す図
【図７】本発明の一実施形態によるリモート操作システムにおいて通常モードでリモート操作を行う場合に送受信される各種データの送信元および送信先を示す図
【図８】本発明の一実施形態によるリモート操作システムの第１操作端末が表示する第１画面を示す図
【図９】本発明の一実施形態によるリモート操作システムの第１操作端末が表示する第１画面の画面遷移を示す図
【図１０】本発明の一実施形態によるリモート操作システムの第１操作端末が表示する第１画面の画面遷移を示す図
【図１１】本発明の一実施形態によるリモート操作システムの第１操作端末が表示する編集受付画面を示す図
【図１２】本発明の一実施形態によるリモート操作システムの第１操作端末が表示する第１画面の画面遷移を示す図
【図１３】本発明の一実施形態によるリモート操作システムの第１操作端末が表示する第１画面に配されるソフトウェアボタンについて説明するための図
【図１４】本発明の一実施形態によるリモート操作システムの第１操作端末が表示する第１画面に配されるソフトウェアボタンについて説明するための図
【図１５】本発明の一実施形態によるリモート操作システムにおいて画面共有モードでリモート操作を行う場合に送受信される各種データの送信元および送信先を示す図
【図１６】本発明の一実施形態によるリモート操作システムの第２操作端末が表示する第２画面を示す図
【図１７】本発明の一実施形態によるリモート操作システムの第２操作端末が表示する第２画面の画面遷移を示す図
【発明を実施するための形態】
【００１６】
＜＜リモート操作システムの構成＞＞
図１に示すように、本実施形態のリモート操作システム１０００は、コピージョブや送信ジョブなど複数種のジョブの実行が可能な画像形成装置であるＭＦＰ１００を備える。ＭＦＰ１００はリモート操作の対象となる。ＭＦＰ１００は「電子機器」に相当する。なお、ＭＦＰ１００に代えて、プリンターなど他の画像形成装置を用いてリモート操作システム１０００を構築してもよい。
【００１７】
ＭＦＰ１００には操作パネル２００が設けられる。操作パネル２００は、ＭＦＰ１００で実行可能なジョブに関する設定など種々の設定をユーザーから受け付ける。
【００１８】
また、リモート操作システム１０００は、複数の操作端末３００を備える。ＭＦＰ１００のユーザーは複数存在し、複数のユーザーがそれぞれ操作端末３００を所有する。複数の操作端末３００は、それぞれが画面を表示し、ユーザーから操作を受け付ける。たとえば、複数の操作端末３００は、スマートフォンやタブレットコンピューターなどであり、ＭＦＰ１００との間での通信が可能である。
【００１９】
ユーザーは自身の操作端末３００をＭＦＰ１００に通信可能に接続することによって、ＭＦＰ１００をリモート操作することができる（ＭＦＰ１００のリモート操作では操作端末３００がユーザーから操作を受け付ける）。これにより、操作パネル２００に対する直接的な操作が不要となる。
【００２０】
＜＜各機器の構成＞＞
ＭＦＰ１００は、ＭＦＰ制御部１１０を備える。ＭＦＰ制御部１１０は、ＣＰＵおよびメモリーを含む。ＭＦＰ制御部１１０は、画像読取部１０１および印刷部１０２に接続され、画像読取部１０１および印刷部１０２の各動作を制御する。画像読取部１０１は、原稿を読み取り原稿の画像データを生成する。印刷部１０２は、用紙を搬送し、搬送中の用紙に画像を印刷する。
【００２１】
また、ＭＦＰ１００は、ＭＦＰ記憶部１２０およびＭＦＰ通信部１３０を備える。ＭＦＰ記憶部１２０およびＭＦＰ通信部１３０は、それぞれ、ＭＦＰ制御部１１０に接続される。
【００２２】
ＭＦＰ記憶部１２０は、ＲＯＭ（ＥＥＰＲＯＭなど）やＨＤＤのような不揮発性の記憶デバイスを含む。ＭＦＰ制御部１１０は、ＭＦＰ記憶部１２０への情報の書き込みやＭＦＰ記憶部１２０からの情報の読み出しを行う。たとえば、後述する再現設定情報３ＡをＭＦＰ記憶部１２０に不揮発的に記憶させることができる。
【００２３】
ＭＦＰ通信部１３０は、ＭＦＰ１００を外部機器（操作端末３００を含む）に通信可能に接続するためのインターフェースであり、通信回路や通信メモリーなどを含む。ＭＦＰ制御部１１０は、ＭＦＰ通信部１３０を用いて、複数の操作端末３００のそれぞれと通信する。
【００２４】
ＭＦＰ１００に設置された操作パネル２００は、ＭＦＰタッチスクリーン２ＴＳを備える。操作パネル２００は、ＭＦＰタッチスクリーン２ＴＳに画面を表示し、ＭＦＰタッチスクリーン２ＴＳに対するタッチ操作をユーザーから受け付ける。操作パネル２００（ＭＦＰタッチスクリーン２ＴＳ）は、ＭＦＰ制御部１１０に接続される。ＭＦＰ制御部１１０は、ＭＦＰタッチスクリーン２ＴＳの表示動作を制御するとともに、ＭＦＰタッチスクリーン２ＴＳに対するタッチ操作を検知する。
【００２５】
複数の操作端末３００は、それぞれ、端末タッチスクリーン３ＴＳを備える。端末タッチスクリーン３ＴＳは、画面を表示し、ユーザーからタッチ操作を受け付ける。
【００２６】
また、複数の操作端末３００は、それぞれ、端末制御部３１０を備える。端末制御部３１０は、ＣＰＵおよびメモリーを含む。端末制御部３１０は、端末タッチスクリーン３ＴＳに接続される。端末制御部３１０は、端末タッチスクリーン３ＴＳの表示動作を制御するとともに、端末タッチスクリーン３ＴＳに対するタッチ操作を検知する。
【００２７】
また、複数の操作端末３００は、それぞれ、端末記憶部３２０および端末通信部３３０を備える。端末記憶部３２０および端末通信部３３０は、それぞれ、端末制御部３１０に接続される。
【００２８】
端末記憶部３２０は、ＲＯＭのような不揮発性の記憶デバイスを含む。端末制御部３１０は、端末記憶部３２０への情報の書き込みや端末記憶部３２０からの情報の読み出しを行う。たとえば、後述する設定再現情報３Ａや表示再現情報３Ｂが端末記憶部３２０に不揮発的に記憶される。
【００２９】
端末通信部３３０は、操作端末３００を外部機器（ＭＦＰ１００を含む）に通信可能に接続するためのインターフェースであり、通信回路や通信メモリーなどを含む。端末制御部３１０は、端末通信部３３０を用いて、ＭＦＰ１００と通信する。
【００３０】
＜＜操作パネルの表示画面＞＞
操作パネル２００は、ユーザーから操作を受け付けるための画面ＰＳ１を表示する。操作パネル２００が表示し得る画面ＰＳ１を図２〜図５に示す。図２〜図５に示す画面ＰＳ１は一例であり、操作パネル２００は他にも種々の画面を表示する。以下の説明では、操作パネル２００が表示する画面ＰＳ１をパネル画面ＰＳ１と称する。
【００３１】
図２に示すパネル画面ＰＳ１はホーム画面ＰＳ１１である。操作パネル２００は、ＭＦＰ１００が起動すると、初期画面としてホーム画面ＰＳ１１を表示する。ホーム画面ＰＳ１１は、ＭＦＰ１００に搭載された複数種の機能のうち使用する機能の選択をユーザーから受け付けるための画面である。
【００３２】
ホーム画面ＰＳ１１には、複数種の機能にそれぞれ対応する複数の機能ボタンＰＢ１１が配される。たとえば、コピー機能を使用したい場合には、「Ｃｏｐｙ」という機能ボタンＰＢ１１（以下の説明では、コピーボタンＰＢ１１と称する場合がある）に対してタッチ操作を行えばよい。これにより、ＭＦＰ１００にコピージョブを実行させることができる。
【００３３】
操作パネル２００は、ホーム画面ＰＳ１１のいずれかの機能ボタンＰＢ１１に対するタッチ操作をユーザーから受け付けると（機能の選択を受け付けると）、ユーザーが選択した選択機能（タッチ操作を受けた機能ボタンＰＢ１１に対応する機能）に関する複数の設定項目のうち設定値をデフォルト値から変更する設定項目の選択をユーザーから受け付けるためのパネル画面ＰＳ１を表示する。たとえば、ユーザーがコピーボタンＰＢ１１に対してタッチ操作を行った場合には、図３に示すような設定項目画面ＰＳ１２（以下の説明では、コピー画面ＰＳ１２と称する場合がある）が操作パネル２００に表示される。
【００３４】
コピー画面ＰＳ１２には、コピー機能に関する複数の設定項目にそれぞれ対応する複数の項目ボタンＰＢ１２が配される。なお、コピー画面ＰＳ１２では、設定項目としての印刷部数設定の設定受付も行われる。図示しないが、ユーザーが印刷部数設定の設定値（印刷部数）を設定すると、当該設定した設定値がコピー画面ＰＳ１２の所定領域に表示される。
【００３５】
操作パネル２００は、コピー画面ＰＳ１２のいずれかの項目ボタンＰＢ１２に対するタッチ操作をユーザーから受け付けると（設定項目の選択を受け付けると）、ユーザーが選択した選択設定項目（タッチ操作を受けた項目ボタＰＢ１２に対応する設定項目）の設定値の設定（デフォルト値からの変更）をユーザーから受け付けるためのパネル画面ＰＳ１を表示する。たとえば、ユーザーが「Ｃｏｌｏｒ」という項目ボタンＰＢ１２に対してタッチ操作を行った場合には、図４に示すような設定値画面ＰＳ１３が操作パネル２００に表示され、ユーザーが「ＥｃｏＰｒｉｎｔ」という項目ボタンＰＢ１２に対してタッチ操作を行った場合には、図５に示すような設定値画面ＰＳ１４が操作パネル２００に表示される。
【００３６】
図４に示す設定値画面ＰＳ１３（以下の説明では、カラー設定画面ＰＳ１３と称する場合がある）では、設定項目としてのカラー設定の設定値を「Ｍｏｎｏｃｈｒｏｍｅ」に設定するか「ＦｕｌｌＣｏｌｏｒ」に設定するかの受け付けが行われる。モノクロボタン（「Ｍｏｎｏｃｈｒｏｍｅ」と表記されたソフトウェアボタン）に対するタッチ操作を行うことによってカラー設定の設定値を「Ｍｏｎｏｃｈｒｏｍｅ」に設定することができ、フルカラーボタン（「ＦｕｌｌＣｏｌｏｒ」と表記されたソフトウェアボタン）に対するタッチ操作を行うことによってカラー設定の設定値を「ＦｕｌｌＣｏｌｏｒ」に設定することができる。たとえば、デフォルト値は「Ｍｏｎｏｃｈｒｏｍｅ」である。カラー設定の設定値を「ＦｕｌｌＣｏｌｏｒ」に設定した場合には、フルカラーコピーを行うことができる。
【００３７】
図５に示す設定値画面ＰＳ１４（以下の説明では、エコプリント設定画面ＰＳ１４と称する場合がある）では、設定項目としてのエコプリント設定の設定値を「ＯＮ」に設定するか「ＯＦＦ」に設定するかの受け付けが行われる。オンボタン（「ＯＮ」と表記されたソフトウェアボタン）に対するタッチ操作を行うことによってエコプリント設定の設定値を「ＯＮ」に設定することができ、オフボタン（「ＯＦＦ」と表記されたソフトウェアボタン）に対するタッチ操作を行うことによってエコプリント設定の設定値を「ＯＦＦ」に設定することができる。たとえば、デフォルト値は「ＯＦＦ」である。エコプリント設定の設定値を「ＯＮ」に設定した場合には、トナーの消費量を抑えた印刷が行われる。
【００３８】
図示しないが、図３に示した複数の項目ボタンＰＢ１２のうち「Ｄｅｎｓｉｔｙ」という項目ボタンＰＢ１２に対してユーザーがタッチ操作を行った場合には、設定項目としての印刷濃度設定に関するパネル画面ＰＳ１が操作パネル２００に表示され、印刷濃度設定の設定値を設定（変更）することができるようになる。図３に示した複数の項目ボタン１２Ｂのうち「Ｄｕｐｌｅｘ／Ｄｉｖｉｓｉｏｎ」という項目ボタンＰＢ１２に対してユーザーがタッチ操作を行った場合には、設定項目としての両面／分割印刷設定に関するパネル画面ＰＳ１が表示され、両面／分割印刷設定の設定値を設定（変更）することができるようになる。
【００３９】
また、図４および図５に示すように、設定項目の設定値を設定するためのパネル画面ＰＳ１（設定値画面ＰＳ１３およびＰＳ１４）にはＯＫボタンが配される。ＯＫボタンに対するタッチ操作をユーザーが行うと、ユーザーが設定した設定項目の設定値を確定することができる。また、ＯＫボタンに対するタッチ操作をユーザーが行うと、操作パネル２００の表示画面が設定項目画面ＰＳ１２に遷移する。
【００４０】
操作パネル２００は、ハードウェアボタンとしてスタートボタンを有する。当該スタートボタンに相当するソフトウェアボタンがパネル画面ＰＳ１に表示されてもよい。操作パネル２００は、スタートボタンに対する操作をジョブの実行指示として受け付ける。
【００４１】
ＭＦＰ制御部１１０は、操作パネル２００がジョブの実行指示（スタートボタンに対する操作）を受け付けたことを検知すると、ユーザーが選択した機能のジョブを実行する。たとえば、図３に示したコピー画面ＰＳ１２が操作パネル２００に表示されている状態でユーザーがスタートボタンを操作すると、ＭＦＰ１００にてコピージョブが実行される。
【００４２】
＜＜リモート操作機能＞＞
＜リモート操作設定画面＞
ＭＦＰ１００にはリモート操作機能が搭載される。リモート操作機能を利用することにより、ユーザーは自身の操作端末３００を用いて、ＭＦＰ１００をリモート操作することができる。リモート操作機能を有効にする旨の設定は操作パネル２００がユーザーから受け付ける。リモート操作機能を有効に設定すると、図６に示すようなリモート操作設定画面ＰＳ２が操作パネル２００に表示される。
【００４３】
リモート操作設定画面ＰＳ２は、通常モードボタンＰＢ２１（図６では「Ｌｏｃｋ  ＭＦＰ」と表記）および画面共有モードボタンＰＢ２２（図６では「Ｄｉｓｐｌａｙ  Ａｃｔｉｏｎｓ」と表記）を含む。通常モードボタンＰＢ２１は、通常モードでリモート操作を行う旨の指示をユーザーから受け付けるためのソフトウェアボタンである。画面共有モードボタンＰＢ２２は、画面共有モードでリモート操作を行う旨の指示をユーザーから受け付けるためのソフトウェアボタンである。
【００４４】
また、リモート操作設定画面ＰＳ２は、領域Ｒ１およびＲ２を含む。リモート操作設定画面ＰＳ２の領域Ｒ１には、ＭＦＰ１００との通信を確立するための情報を含む二次元コード（ＱＲコード（登録商標）など）が表示される。ユーザーは自身の操作端末３００でリモート操作設定画面ＰＳ２の領域Ｒ１をスキャンすることにより、ＭＦＰ１００と自身の操作端末３００との通信を確立することができる。なお、ＮＦＣ（Ｎｅａｒ  Ｆｉｅｌｄ  Ｃｏｍｍｕｎｉｃａｔｉｏｎ）機能が搭載された操作端末３００を用いる場合には、ユーザーは自身の操作端末３００をリモート操作設定画面ＰＳ２の領域Ｒ２に近づけることにより、ＭＦＰ１００と自身の操作端末３００との通信を確立することができる。
【００４５】
また、リモート操作設定画面ＰＳ２は、接続先表示ボタンＰＢ２３（「Ｓｈｏｗ  Ｃｏｎｎｅｃｔｅｄ  Ｄｅｖｉｃｅｓ」と表記されたソフトウェアボタン）を含む。接続先表示ボタンＰＢ２３に対してユーザーがタッチ操作を行うと、その時点でＭＦＰ１００に通信可能に接続されている全ての操作端末３００のＩＤ情報（たとえば、ＭＡＣアドレスなど）が表示される。
【００４６】
また、リモート操作設定画面ＰＳ２は、スタートボタンＰＢ２４（「Ｓｔａｒｔ  Ｒｅｍｏｔｅ  Ｃｏｎｎｅｃｔｉｏｎ」と表記されたソフトウェアボタン）を含む。スタートボタンＰＢ２４に対してユーザーがタッチ操作を行うと、ＭＦＰ１００をリモート操作することができるようになる。
【００４７】
＜通常モードでのリモート操作＞
ＭＦＰ制御部１１０は、通常モードでリモート操作を行う旨の指示を操作パネル２００がユーザーから受け付けて以降、スタートボタンＰＢ２４に対するタッチ操作を検知すると、通常モードでリモート操作を受け付ける通常処理を行う。
【００４８】
具体的には、ＭＦＰ制御部１１０は、スタートボタンＰＢ２４に対するタッチ操作を検知すると、リモート操作設定画面ＰＳ２に代えて、通常のパネル画面ＰＳ１を操作パネル２００に表示させる（たとえば、最初はホーム画面ＰＳ１１が操作パネル２００に表示される）。なお、ＭＦＰ制御部１１０は、通常処理の実行中、操作パネル２００に対する操作を無効とする。たとえば、操作パネル２００は、ＭＦＰ制御部１１０による通常処理が実行中である旨（操作パネル２００に対する操作が無効である旨）をユーザーに報知するためのメッセージをパネル画面ＰＳ１の所定箇所に表示する。
【００４９】
また、ＭＦＰ制御部１１０は、ＭＦＰ１００に現在接続されている操作端末３００を認識する。なお、通常モードでは、ＭＦＰ１００に接続可能な操作端末３００は１台だけである。すなわち、ＭＦＰ１００に対するリモート操作の受け付けが許可される操作端末３００は１台だけである。以下の説明では、図７に示すように、ＭＦＰ１００に対するリモート操作の受け付けが許可される操作端末３００（ＭＦＰ１００に現在接続されている操作端末３００）を第１操作端末３０１と称する。
【００５０】
ＭＦＰ制御部１１０は、第１操作端末３０１を認識すると、ＭＦＰ通信部１３０を用いて、第１操作端末３０１に画面データを送信する（図７参照）。第１操作端末３０１に送信される画面データは、操作パネル２００に現在表示されているパネル画面ＰＳ１の表示に必要なデータである。操作パネル２００に現在表示されているパネル画面ＰＳ１がホーム画面ＰＳ１１であれば、ホーム画面ＰＳ１１に対応する画面データが第１操作端末３０１に送信される。
【００５１】
第１操作端末３０１の端末制御部３１０は、ＭＦＰ１００からの画面データを受信すると、ＭＦＰ１００から受信した画面データに基づくパネル画面ＰＳ１を配したリモート操作用画面１０を自機の端末タッチスクリーン３ＴＳに表示させる。以下の説明では、第１操作端末３０１が表示するリモート操作用画面１０を第１画面１０と称する。第１画面１０の一例を図８に示す。
【００５２】
第１画面１０は、パネル表示領域Ｒ１１を含む。ＭＦＰ１００からの画面データに基づくパネル画面ＰＳ１はパネル表示領域Ｒ１１に表示される。図８に示す例では、パネル表示領域Ｒ１１に表示されているのはホーム画面ＰＳ１１である。すなわち、図８に示す例では、操作パネル２００に現在表示されているパネル画面ＰＳ１がホーム画面ＰＳ１１であり、ホーム画面ＰＳ１１に対応する画面データを第１操作端末３０１がＭＦＰ１００から受信したということである。
【００５３】
第１操作端末３０１の端末制御部３１０は、第１画面１０の表示中、第１画面１０内のパネル画面ＰＳ１に対するタッチ操作の受け付けを端末タッチスクリーン３ＴＳに行わせる。すなわち、第１操作端末３０１の端末制御部３１０は、第１画面１０内のパネル画面ＰＳ１をリモート操作の対象とする。第１画面１０にホーム画面ＳＰ１１が配されている場合には、ＭＦＰ１００に搭載された複数種の機能のうち使用する機能の選択受付が行われる。
【００５４】
第１操作端末３０１の端末制御部３１０は、第１画面１０内のパネル画面ＰＳ１に対するタッチ操作をユーザーから受け付けると、自機の端末通信部３３０を用いて、ＭＦＰ１００に対し、ユーザーから受け付けた操作を示す操作データを送信する（図７参照）。ＭＦＰ制御部１１０は、ＭＦＰ通信部１３０が操作データを受信すると、当該受信した操作データで示される操作（以下、対象操作と称する）を認識する。そして、ＭＦＰ制御部１１０は、操作パネル２００に対して対象操作が実際に行われた場合に操作パネル２００に表示すべきパネル画面ＰＳ１を操作パネル２００に表示させる。
【００５５】
また、ＭＦＰ制御部１１０は、対象操作を認識すると、操作パネル２００に対して対象操作が実際に行われた場合に操作パネル２００に表示すべきパネル画面ＰＳ１の表示に必要な画面データを第１操作端末３０１に送信する（図７参照）。このときにＭＦＰ１００から第１操作端末３０１に送信されるのは、ＭＦＰ１００が第１操作端末３０１から操作データを受信したことによって操作パネル２００に新たに表示されたパネル画面ＰＳ１（操作パネル２００が現在表示しているパネル画面ＰＳ１）の表示に必要な画面データである。
【００５６】
たとえば、図９の上図に示すように、第１操作端末３０１がホーム画面ＰＳ１１を配した第１画面１０を表示しているとする。すなわち、操作パネル２００がホーム画面ＰＳ１１を表示しているとする。そして、このとき、第１画面１０内のホーム画面ＰＳ１１のコピーボタンＰＢ１１に対するタッチ操作をユーザーが行ったとする。
【００５７】
この場合には、第１操作端末３０１からＭＦＰ１００に対して、コピーボタンＰＢ１１が操作されたことを示すデータが操作データとして送信される（コピーボタンＰＢ１１に対する操作が対象操作となる）。これにより、操作パネル２００は、ホーム画面ＰＳ１１に代えて、コピー画面ＰＳ１２を表示する。
【００５８】
また、操作パネル２００がコピー画面ＰＳ１２を表示すると、ＭＦＰ１００から第１操作端末３０１に対して、コピー画面ＰＳ１２の表示に必要な画面データが送信される。これにより、図９の下図に示すように、第１操作端末３０１は、ホーム画面ＰＳ１１を配した第１画面１０に代えて、コピー画面ＰＳ１２を配した第１画面１０を表示する。言い換えると、第１画面１０のパネル表示表域Ｒ１１に表示されるパネル画面ＰＳ１がホーム画面ＰＳ１１からコピー画面ＰＳ１２に遷移する。そして、第１操作端末３０１は、第１画面１０内のコピー画面ＰＳ１２に対する操作を受け付ける（コピー画面ＰＳ１２が新たにリモート操作の対象となる）。
【００５９】
第１操作端末３０１は、第１画面１０内のパネル画面ＰＳ１に対する操作をユーザーから受け付ける度に、ＭＦＰ１００に対して操作データを送信する。ＭＦＰ１００は、第１操作端末３０１から操作データを受信する度に、操作パネル２００のパネル画面ＰＳ１を第１操作端末３０１からの操作データに基づき遷移するとともに、第１操作端末３０１に対して画面データを送信する。第１操作端末３０１は、ＭＦＰ１００から画面データを受信する度に、第１画面１０のパネル表示領域Ｒ１１に表示するパネル画面ＰＳ１をＭＦＰ１００からの画面データに対応するパネル画面ＰＳ１に遷移する。そして、第１操作端末３０１は、遷移後のパネル画面ＰＳ１に対する操作をユーザーから受け付ける（遷移後のパネル画面ＰＳ１が新たにリモート操作の対象となる）。
【００６０】
また、ＭＦＰ制御部１１０は、対象操作が設定項目の設定値を設定する操作であった場合、対象操作を受けた設定項目（以下の説明では、対象設定項目と称する）を認識する。そして、ＭＦＰ制御部１１０は、対象設定項目の設定値を操作パネル２００に対して対象操作が実際に行われた場合の設定値に設定（変更）する。
【００６１】
たとえば、図１０の上図に示すように、第１操作端末３０１がカラー設定画面ＰＳ１３を配した第１画面１０を表示しているとする。すなわち、操作パネル２００がカラー設定画面ＰＳ１３を表示しているとする。そして、このととき、第１画面１０内のカラー設定画面ＰＳ１３に対して、カラー設定の設定値を「ＦｕｌｌＣｏｌｏｒ」に設定する旨のタッチ操作であるフルカラー設定操作（フルカラーボタンをタッチしてからＯＫボタンをタッチする操作）をユーザーが行ったとする。
【００６２】
この場合には、第１操作端末３０１からＭＦＰ１００に対して、フルカラー設定操作が行われたことを示すデータが操作データとして送信される（フルカラー設定操作が対象操作となる）。これにより、操作パネル２００は、カラー設定画面ＰＳ１３に代えて、コピー画面ＰＳ１２を表示する。そして、ＭＦＰ制御部１１０は、カラー設定の設定値を「ＦｕｌｌＣｏｌｏｒ」に設定（変更）する。
【００６３】
また、操作パネル２００の表示画面がカラー設定画面ＰＳ１３からコピー画面ＰＳ１２に遷移するので、ＭＦＰ１００から第１操作端末３０１に対して、コピー画面ＰＳ１２の表示に必要な画面データが送信される。これにより、図１０の下図に示すように、第１操作端末３０１は、カラー設定画面ＰＳ１３を配した第１画面１０に代えて、コピー画面ＰＳ１２を配した第１画面１０を表示する。
【００６４】
なお、図８に示すように、第１画面１０には、記録ボタンＢ１１（「Ｒｅｃｏｒｄ  Ａｃｔｉｏｎｓ」と表記されたソフトウェアボタン）、再現ボタンＢ１２（「Ｓｅｌｅｃｔ  Ｒｅｃｏｒｄｅｄ  Ａｃｔｉｏｎ  ｔｏ  Ｐｅｒｆｏｒｍ」と表記されたソフトウェアボタン）、パネル選択ボタンＢ１３（「Ｓｅｌｅｃｔ  Ｐａｎｅｌ  Ｄｉｓｐｌａｙ」と表記されたソフトウェアボタン）、編集ボタンＢ１４（「Ｍｏｄｉｆｙ  Ｒｅｃｏｒｄｅｄ  Ａｃｔｉｏｎｓ」と表記されたソフトウェアボタン）などが配される。
【００６５】
記録ボタンＢ１１、再現ボタンＢ１２および編集ボタンＢ１４は、通常モードでのリモート操作および画面共有モードでのリモート操作の両方で使用される。パネル選択ボタンＢ１３は、画面共有モードでのリモート操作で使用される（通常モードでのリモート操作では使用されない）。
【００６６】
（設定再現）
ＭＦＰ制御部１１０は、対象操作が設定項目の設定値を設定する操作であった場合、対象設定項目の設定値を操作パネル２００に対して対象操作が実際に行われた場合の設定値に設定（変更）する処理に加え、ＭＦＰ通信部１３０を用いて、第１操作端末３０１に設定データを送信する処理を行う（図７参照）。第１操作端末３０１に送信される設定データは、対象設定項目の設定値を操作パネル２００に対して対象操作が実際に行われた場合の設定値に設定するためデータである。このとき、ＭＦＰ１００からの設定データを第１操作端末３０１に不揮発的に記憶させることができる。
【００６７】
具体的には、第１操作端末３０１の端末制御部３１０は、記録ボタンＢ１１に対するタッチ操作をユーザーから受け付けると、当該受け付けたタッチ操作を記録開始操作として検知する。第１操作端末３０１の端末制御部３１０は、記録開始操作を検知して以降、記録ボタンＢ１１に対するタッチ操作をユーザーから再度受け付けると、当該再度受け付けたタッチ操作を記録終了操作として検知する。ユーザーが記録終了操作に相当するタッチ操作を記録ボタンＢ１１に対して行ってから、記録ボタンＢ１１に対してタッチ操作を再度行うと、当該再度行ったタッチ操作は記録開始操作として検知される。
【００６８】
そして、第１操作端末３０１の端末制御部３１０は、記録開始操作の受け付けから記録終了操作の受け付けまでの記録期間にＭＦＰ１００から受信した設定データを含む設定再現情報３Ａ（図１参照）を自機の端末記憶部３２０に不揮発的に記憶させる（記録処理を行う）。第１操作端末３０１に記憶させる設定再現情報３Ａのファイル名は第１操作端末３０１のユーザーが任意に設定することができる。なお、第１操作端末３０１のユーザーは設定再現情報３ＡをＭＦＰ１００に不揮発的に記憶させることもできる。
【００６９】
設定再現情報３Ａは記録期間ごとに第１操作端末３０１に記憶される。第１操作端末３０１のユーザーが記録開始操作および記録終了操作を１回ずつ含む記録開始終了操作を繰り返し複数回行った場合には、当該回数分の設定再現情報３Ａが端末記憶部３２０に記憶される。また、１回の記録期間内に複数の設定データがＭＦＰ１００から第１操作端末３０１に送信された場合（１回の記録期間内に複数の設定項目の設定値を設定した場合）には、当該記録期間に対応する設定再現情報３Ａには複数の設定データが含められる。
【００７０】
たとえば、第１操作端末３０１のユーザーが記録開始操作を行って以降、カラー設定、エコプリント設定、両面／分割印刷設定、印刷部数設定および印刷濃度設定の各設定項目の設定値をデフォルト値から変更したとする（カラー設定、エコプリント設定、両面／分割印刷設定、印刷部数設定および印刷濃度設定の各設定項目が対象設定項目となる）。そして、その後、第１操作端末３０１のユーザーが記録終了操作を行ったとする。
【００７１】
この場合、記録開始操作の受け付けから記録終了操作の受け付けまでの記録期間内に、エコプリント設定、カラー設定、両面／分割印刷設定、印刷部数設定および印刷濃度設定の各設定項目にそれぞれ対応する５つの設定データを第１操作端末３０１がＭＦＰ１００から受信する。したがって、第１操作端末３０１には、当該５つの設定データを１まとめにした設定再現情報３Ａが記憶される。
【００７２】
第１操作端末３０１は、設定再現情報３Ａが自機に記憶されている場合、設定再現操作をユーザーから受け付ける。第１操作端末３０１の端末制御部３１０は、設定再現操作をユーザーから受け付けると、設定再現処理を行う。設定再現操作の受け付けは第１画面１０の表示中に行われる。設定再現操作をユーザーから受け付けるために、第１画面１０に再現ボタンＢ１２が配される。第１操作端末３０１の端末制御部３１０は、再現ボタンＢ１２に対するタッチ操作をユーザーから受け付けると、当該受け付けたタッチ操作を設定再現操作の一操作として検知する。
【００７３】
第１操作端末３０１の端末制御部３１０は、再現ボタンＢ１２に対するタッチ操作を検知すると、自機の端末記憶部３２０に記憶された設定再現情報３Ａのファイル名を選択肢として表示し、ファイル名を選択する選択操作（ファイル名の表示領域をタッチする操作）を設定再現操作の一操作としてユーザーから受け付ける。第１操作端末３０１の端末記憶部３２０に複数の設定再現情報３Ａが記憶されている場合には、当該複数の設定再現情報３Ａの各ファイル名が選択肢として表示される。
【００７４】
第１操作端末３０１の端末制御部３１０は、いずれかのファイル名の選択をユーザーから受け付けると、選択されたファイル名に対応する設定再現情報３Ａをユーザーが指定したと判断する。そして、第１操作端末３０１の端末制御部３１０は、自機の端末通信部３３０を用いて、ＭＦＰ１００に対し、ユーザー指定の設定再現情報３Ａ（記憶済みの設定再現情報３Ａ）を送信する処理を設定再現処理として行う。
【００７５】
ＭＦＰ制御部１１０は、第１操作端末３０１からユーザー指定の設定再現情報３Ａを受信すると、ユーザー指定の設定再現情報３Ａに含まれる設定データである受信設定データに対応する設定項目の設定値を受信設定データに基づき設定（変更）する。たとえば、カラー設定の設定値を「ＦｕｌｌＣｏｌｏｒ」に設定するための設定データがユーザー指定の設定再現情報３Ａに含まれていた場合には、ＭＦＰ１００のカラー設定の設定値が「ＦｕｌｌＣｏｌｏｒ」に設定される。
【００７６】
また、第１操作端末３０１は、設定再現情報３Ａが自機に記憶されている場合、編集操操作をユーザーから受け付ける。編集操作の受け付けは第１画面１０の表示中に行われる。編集操作をユーザーから受け付けるために、第１画面１０に編集ボタンＢ１４が配される。第１操作端末３０１の端末制御部３１０は、編集ボタンＢ１４に対するタッチ操作をユーザーから受け付けると、当該受け付けたタッチ操作を編集操作の一操作として検知する。
【００７７】
第１操作端末３０１の端末制御部３１０は、編集ボタンＢ１４に対するタッチ操作を検知すると、自機の端末記憶部３２０に記憶された設定再現情報３Ａのファイル名を選択肢として表示し、ファイル名を選択する選択操作（ファイル名の表示領域をタッチする操作）を編集操作の一操作としてユーザーから受け付ける。第１操作端末３０１の端末記憶部３２０に複数の設定再現情報３Ａが記憶されている場合には、当該複数の設定再現情報３Ａの各ファイル名が選択肢として表示される。
【００７８】
第１操作端末３０１の端末制御部３１０は、いずれかのファイル名の選択をユーザーから受け付けると、選択されたファイル名に対応する設定再現情報３Ａをユーザーが指定したと判断する。そして、第１操作端末３０１の端末制御部３１０は、ユーザー指定の設定再現情報３Ａ（記憶済みの設定再現情報３Ａ）の編集をユーザーから受け付けるための編集受付画面ＭＳを自機の端末タッチスクリーン３ＴＳに表示させる。たとえば、編集受付画面ＭＳは第１画面１０上にポップアップ表示される。編集受付画面ＭＳの一例を図１１に示す。
【００７９】
編集受付画面ＭＳには、ユーザー指定の設定再現情報３Ａに含まれる設定データに対応する設定項目の設定値（デフォルト値から変更された設定値）が編集対象としてリストアップされる。また、編集受付画面ＭＳには、編集対象の設定項目ごとにチェックボックスが配される。編集前の時点では、全てのチェックボックスにチェックが付される（図１１の上図参照）。
【００８０】
第１操作端末３０１は、編集受付画面ＭＳの表示中、いずれかのチェックボックスに対するタッチ操作を編集操作の一操作としてユーザーから受け付ける。第１操作端末３０１の端末制御部３１０は、いずれかのチェックボックスに対するタッチ操作を検知すると、当該タッチ操作を受けたチェックボックスからチェックを外す（図１１の下図参照）。第１操作端末３０１の端末制御部３１０は、対応するチェックボックスからチェックを外した設定項目の設定値をデフォルト値に戻す。
【００８１】
また、第１操作端末３０１の端末制御部３１０は、編集受付画面ＭＳに配されたセーブボタンＳＢに対するタッチ操作を編集操作の一操作として受け付ける。第１操作端末３０１の端末制御部３１０は、セーブボタンＳＢに対するタッチ操作を検知すると、ユーザーによる編集が終了したと判断する。そして、第１操作端末３０１の端末制御部３１０は、編集前の設定再現情報３Ａに代えて、編集後の設定再現情報３Ａを自機の端末記憶部３２０に新たに不揮発的に記憶させる。
【００８２】
一例として、図１１に示すように、カラー設定、エコプリント設定、両面／分割印刷設定、印刷部数設定および印刷濃度設定の各設定項目が編集対象として編集受付画面ＭＳにリストアップされている（当該各設定項目の設定データがユーザー指定の設定再現情報３Ａに含まれている）とする。そして、編集受付画面ＭＳにリストアップされた設定項目のうち印刷部数設定（上から４番目の設定項目）のチェックボックスに対してユーザーがタッチ操作を行い、その後、セーブボタンＳＢに対してユーザーがタッチ操作を行ったとする。
【００８３】
この場合、第１操作端末３０１の端末制御部３１０は、印刷部数設定の設定値を「３」から「１（デフォルト値）」に変更する。言い換えると、第１操作端末３０１の端末制御部３１０は、ユーザー指定の設定再現情報３Ａから印刷部数設定に対応する設定データを削除する。そして、第１操作端末３０１の端末制御部３１０は、印刷部数設定に対応する設定データが削除された設定再現情報３Ａを自機の端末記憶部３２０に新たに不揮発的に記憶させる（ファイル名については編集前後で変更は無い）。これにより、当該設定再現情報３Ａが第１操作端末３０１からＭＦＰ１００に送信されても、ＭＦＰ１００の印刷部数設定の設定値はデフォルト値に保持される（「１」から「３」に変更されない）。
【００８４】
（表示再現）
第１操作端末３０１の端末制御部３１０は、記録開始操作および記録終了操作をユーザーから受け付けたことを検知すると、設定再現情報３Ａに加え、表示再現情報３Ｂ（図１参照）を自機の端末記憶部３２０に不揮発的に記憶させる（記録処理を行う）。表示再現情報３Ｂは、記録開始操作の受け付けから記録終了操作の受け付けまでの記録期間に第１操作端末３０１が行った第１画面１０のパネル表示領域Ｒ１１でのパネル画面ＰＳ１の表示処理を再現するための情報である。表示再現情報３Ｂには、記録期間内に第１画面１０のパネル表示領域Ｒ１１に表示されたパネル画面ＰＳ１の表示に必要な画面データや、パネル画面ＰＳ１の表示順を示す順番データなどが含まれる。
【００８５】
表示再現情報３Ｂのファイル名はユーザーが任意に設定することができる。表示再現情報３Ｂは記録期間ごとに第１操作端末３０１に記憶される。ユーザーが記録開始操作および記録終了操作を１回ずつ含む記録開始終了操作を繰り返し複数回行った場合には、当該回数分の表示再現情報３Ｂが第１操作端末３０１に記憶される。
【００８６】
たとえば、図１２に示すように、第１操作端末３０１のユーザーが記録開始操作を行って以降、コピー画面ＰＳ１２→カラー設定画面ＰＳ１３→コピー画面ＰＳ１２→エコプリント設定画面ＰＳ１４の順番で第１画面１０内のパネル画面ＰＳ１を遷移させたとする。そして、その後、第１操作端末３０１のユーザーが記録終了操作を行ったとする。
【００８７】
この場合に第１操作端末３０１に記憶される表示再現情報３Ｂには、コピー画面ＰＳ１２、カラー設定画面ＰＳ１３およびエコプリント設定画面ＰＳ１４の各画面データが含められる。また、コピー画面ＰＳ１２→カラー設定画面ＰＳ１３→コピー画面ＰＳ１２→エコプリント設定画面ＰＳ１４という順番を示す順番データが表示再現情報３Ｂに含められる。
【００８８】
第１操作端末３０１は、表示再現情報３Ｂが自機に記憶されている場合、表示再現操作をユーザーから受け付ける。第１操作端末３０１の端末制御部３１０は、表示再現操作をユーザーから受け付けると、表示再現処理を行う。表示再現操作の受け付けは第１画面１０の表示中に行われる。たとえば、第１操作端末３０１の端末制御部３１０は、再現ボタンＢ１２に対するタッチ操作をユーザーから受け付けると、当該受け付けたタッチ操作を表示再現操作の一操作として検知する。
【００８９】
第１操作端末３０１の端末制御部３１０は、再現ボタンＢ１２に対するタッチ操作を検知すると、自機の端末記憶部３２０に記憶された表示再現情報３Ｂのファイル名を選択肢として表示し、ファイル名を選択する選択操作（ファイル名の表示領域をタッチする操作）を表示再現操作の一操作としてユーザーから受け付ける。第１操作端末３０１の端末記憶部３２０に複数の表示再現情報３Ｂが記憶されている場合には、当該複数の表示再現情報３Ｂの各ファイル名が選択肢として表示される。さらに、第１操作端末３０１の端末記憶部３２０に設定再現情報３Ａが記憶されている場合には、表示再現情報３Ｂのファイル名と共に設定再現情報３Ａのファイル名も選択肢として第１操作端末３０１に表示される。すなわち、このとき、設定再現情報３Ａのファイル名がユーザーにより選択される場合がある。
【００９０】
第１操作端末３０１の端末制御部３１０は、いずれかのファイル名の選択をユーザーから受け付けると、選択されたファイル名に対応する表示再現情報３Ｂをユーザーが指定したと判断する。そして、第１操作端末３０１の端末制御部３１０は、ユーザー指定の表示再現情報３Ｂに対応する表示処理を再現する処理を表示再現処理として行う（ユーザー指定の表示再現情報３Ｂを再現対象に設定する）。
【００９１】
このとき、第１操作端末３０１の端末制御部３１０は、ユーザー指定の表示再現情報３Ｂに含まれる画面データのうち、ユーザー指定の表示再現情報３Ｂに含まれる順番データで示される順番が１番目の画面データに対応するパネル画面ＰＳ１を第１画面１０のパネル表示領域Ｒ１１に表示する。その後、第１操作端末３０１の端末制御部３１０は、第１画面１０内に配された操作領域ＯＲ１（図８参照）に対するタッチ操作をユーザーから受け付ける。
【００９２】
第１画面１０の操作領域ＯＲ１は、再生ボタンＢ１、停止ボタンＢ２および一時停止ボタンＢ３を含む（図１３参照）。再生ボタンＢ１に対するタッチ操作をユーザーから受け付けると、第１操作端末３０１の端末制御部３１０は、ユーザー指定の表示再現情報３Ｂに含まれる順番データに基づき、ユーザー指定の表示再現情報３Ｂに含まれる画面データに対応するパネル画面ＰＳ１を順次表示する。
【００９３】
停止ボタンＢ２に対するタッチ操作をユーザーから受け付けると、第１操作端末３０１の端末制御部３１０は、ユーザー指定の表示再現情報３Ｂに対応する表示処理の再現を停止する。このとき、第１操作端末３０１の端末制御部３１０は、表示再現処理の直前に表示していたパネル画面ＰＳ１を表示する。
【００９４】
一時停止ボタンＢ３に対するタッチ操作をユーザーから受け付けると、第１操作端末３０１の端末制御部３１０は、ユーザー指定の表示再現情報３Ｂに対応する表示処理の再現を一時停止する（一時停止ボタンＢ３に対するタッチ操作を受け付けたときに表示していたパネル画面ＰＳ１の表示が維持され、当該パネル画面ＰＳ１から別のパネル画面ＰＳ１へは遷移しない）。その後、再生ボタンＢ１に対するタッチ操作をユーザーから再度受け付けると、第１操作端末３０１の端末制御部３１０は、ユーザー指定の表示再現情報３Ｂに対応する表示処理の再現を再開する。
【００９５】
また、第１画面１０の操作領域ＯＲ１は、前回ボタンＢ４および次回ボタンＢ５を含む（図１３参照）。前回ボタンＢ４に対するタッチ操作をユーザーから受け付けると、第１操作端末３０１の端末制御部３１０は、現在行っている表示処理の再現を停止し、現在の再現対象よりも記録日時（更新日時）が古い表示再現情報３Ｂを再現対象に設定する。一方で、次回ボタンＢ５に対するタッチ操作をユーザーから受け付けると、第１操作端末３０１の端末制御部３１０は、現在行っている表示処理の再現を停止し、現在の再現対象よりも記録日時（更新日時）が新しい表示再現情報３Ｂを再現対象に設定する。
【００９６】
たとえば、ユーザー指定の表示再現情報３Ｂに、コピー画面ＰＳ１２、カラー設定画面ＰＳ１３およびエコプリント設定画面ＰＳ１４の各画面データが含められているとする。また、ユーザー指定の表示再現情報３Ｂに、コピー画面ＰＳ１２→カラー設定画面ＰＳ１３→コピー画面ＰＳ１２→エコプリント設定画面ＰＳ１４という順番を示す順番データが含められているとする。
【００９７】
この場合には、第１画面１０のパネル表示領域Ｒ１１に表示されるパネル画面ＰＳ１が図１２に示したように遷移する。すなわち、まず、第１画面１０のパネル表示領域Ｒ１１にコピー画面ＰＳ１２が表示される。その後、再生ボタンＢ１に対するタッチ操作をユーザーが行うと、コピー画面ＰＳ１２→カラー設定画面ＰＳ１３→コピー画面ＰＳ１２→エコプリント設定画面ＰＳ１４の順番で第１画面１０内のパネル画面ＰＳ１が遷移する。
【００９８】
（各種設定）
図８に示すように、第１画面１０は、各種設定をユーザーから受け付けるための操作領域操作ＯＲ２を含む。なお、第１画面１０に操作領域ＯＲ２を設けなくてもよい。また、第１画面１０の操作領域ＯＲ２を介して受け付ける各種設定が操作パネル２００から行えてもよい。
【００９９】
第１画面１０の操作領域ＯＲ２は、ロックボタンＢ６を含む（図１４参照）。第１操作端末３０１の端末制御部３１０は、ロックボタンＢ６に対するタッチ操作（「表示制限操作」に相当）をユーザーから受け付けると、自機の端末通信部３３０を用いて、ＭＦＰ１００に表示制限命令を送信する。ＭＦＰ制御部１１０は、第１操作端末３０１から表示制限命令を受信すると、操作パネル２００の表示を停止させる。操作パネル２００の表示停止は表示制限が解除されるまで続く。
【０１００】
なお、場合によっては、操作パネル２００の表示を停止させている期間に、対象操作が設定項目の設定値を設定する操作であることを示す操作データが第１操作端末３０１からＭＦＰ１００に送信される場合がある。このような場合であっても、ＭＦＰ制御部１１０は、対象操作を受けた対象設定項目の設定値を操作パネル２００に対して対象操作が実際に行われた場合の設定値に設定（変更）する。
【０１０１】
また、第１画面１０の操作領域ＯＲ２は、接続端末表示ボタンＢ７を含む（図１４参照）。第１操作端末３０１の端末制御部３１０は、接続端末表示ボタンＢ７に対するタッチ操作をユーザーから受け付けると、その時点でＭＦＰ１００に通信可能に接続されている操作端末３００のＩＤ情報（たとえば、ＭＡＣアドレスなど）を表示する。
【０１０２】
ＭＦＰ１００が通常処理（通常モードでリモート操作を受け付ける処理）を行っていれば、第１操作端末３０１のＩＤ情報だけが第１操作端末３０１に表示される。ＭＦＰ１００が後述する画面共有処理（画面共有モードでリモート操作を受け付ける処理）を行っていれば、複数の操作端末３００（第１操作端末３０１を含む）の各ＩＤ情報が第１操作端末３０１に表示される。
【０１０３】
また、第１画面１０の操作領域ＯＲ２は、接続追加ボタンＢ８を含む（図１４参照）。第１操作端末３０１の端末制御部３１０は、接続追加ボタンＢ８に対するタッチ操作をユーザーから受け付けたとき、第１操作端末３０１に現在接続されているＭＦＰ１００以外に第１操作端末３０１に接続可能なＭＦＰ１００が存在すれば、当該ＭＦＰ１００を追加接続候補と認識し、追加接続候補のＩＤ情報を表示する。なお、このときに追加接続候補となるＭＦＰ１００は、第１操作端末３０１に現在接続されているＭＦＰ１００と仕様が同じＭＦＰ１００である。
【０１０４】
第１操作端末３０１の端末制御部３１０は、追加接続候補として表示したＭＦＰ１００への追加接続指示をユーザーから受け付けると、追加接続指示を受けたＭＦＰ１００と第１操作端末３０１との通信を確立する処理を行う。以降、第１操作端末３０１からの操作データは、追加接続したＭＦＰ１００にも送信される。すなわち、複数台のＭＦＰ１００に対するリモート操作を同時に行うことができる。
【０１０５】
また、第１画面１０の操作領域ＯＲ２は、接続遮断ボタンＢ９を含む（図１４参照）。第１操作端末３０１の端末制御部３１０は、接続遮断ボタンＢ９に対するタッチ操作をユーザーから受け付けると、第１操作端末３０１に現在接続されているＭＦＰ１００を接続遮断候補と認識し、接続遮断候補のＩＤ情報を表示する。
【０１０６】
第１操作端末３０１の端末制御部３１０は、接続遮断候補として表示したＭＦＰ１００との接続遮断指示をユーザーから受け付けると、接続遮断指示を受けたＭＦＰ１００と第１操作端末３０１との通信を遮断する処理を行う。第１操作端末３０１との接続が遮断されたＭＦＰ１００は、リモート操作の対象とならない。
【０１０７】
＜画面共有モードでのリモート操作＞
ＭＦＰ制御部１１０は、画面共有モードでリモート操作を行う旨の指示を操作パネル２００がユーザーから受け付けた後、スタートボタンＰＢ２４（図６参照）に対するタッチ操作を検知すると、画面共有モードでリモート操作を受け付ける画面共有処理を行う。
【０１０８】
画面共有モードでは、複数の操作端末３００がＭＦＰ１００に通信可能に接続される。ＭＦＰ１００に接続された複数の操作端末３００のうち、ＭＦＰ１００に最初に接続された操作端末３００はリモート操作の受け付けを行う一方、残りの操作端末３００はリモート操作の受け付けを行わない。すなわち、画面共有モードでは、ＭＦＰ１００に最初に接続された操作端末３００が第１操作端末３０１（ＭＦＰ１００に対するリモート操作の受け付けが許可される操作端末３００）となる。
【０１０９】
以下の説明では、図１５に示すように、複数の操作端末３００のうち、第１操作端末３０１以外の操作端末３００を第２操作端末３０２（ＭＦＰ１００に対するリモート操作の受け付けが許可されていない操作端末３００）と称する。
【０１１０】
ＭＦＰ制御部１１０は、ＭＦＰ１００に現在接続されている複数の操作端末３００を認識すると、ＭＦＰ通信部１３０を用いて、複数の操作端末３００の全てに対し、操作パネル２００に現在表示されているパネル画面ＰＳ１の表示に必要な画面データを送信する（図１５参照）。すなわち、ＭＦＰ１００からの画面データは、第１操作端末３０１および第２操作端末３０２の両方が受信する。
【０１１１】
なお、第１操作端末３０１の端末制御部３１０は、パネル選択ボタンＢ１３（図８参照）に対するタッチ操作をユーザーから受け付けると、ＭＦＰ１００に現在接続されている第２操作端末３０２のＩＤ情報を選択肢として表示する。また、第１操作端末３０１の端末制御部３１０は、選択されたＩＤ情報をＭＦＰ１００に送信する。そして、たとえば、ＭＦＰ制御部１１０は、第１操作端末３０１から受信したＩＤ情報に対応する第２操作端末３０２には画面データを送信しない。デフォルトの設定では、ＭＦＰ１００に接続された全ての第２操作端末３０２に画面データが送信される。
【０１１２】
第１操作端末３０１の端末制御部３１０は、ＭＦＰ１００からの画面データを受信すると、ＭＦＰ１００から受信した画面データに基づくパネル画面ＰＳ１を配したリモート操作用画面１０を自機の端末タッチスクリーン３ＴＳに表示させる。第１操作端末３０１に表示されるリモート操作用画面１０は通常モードおよび画面共有モードの両モードで共通である。以下の説明では、第１操作端末３０１が表示するリモート操作用画面１０を第１画面１０と称する。
【０１１３】
第２操作端末３０２の端末制御部３１０は、ＭＦＰ１００からの画面データを受信すると、ＭＦＰ１００から受信した画面データに基づくパネル画面ＰＳ１を配したリモート操作用画面２０を自機の端末タッチスクリーン３ＴＳに表示させる。以下の説明では、第２操作端末３０２が表示するリモート操作用画面２０を第２画面２０と称する。第２画面２０の一例を図１６に示す。
【０１１４】
第２画面２０は、パネル表示領域Ｒ２１を含む。ＭＦＰ１００からの画面データに基づくパネル画面ＰＳ１はパネル表示領域Ｒ２１に表示される。図１６に示す例では、パネル表示領域Ｒ２１に表示されているのはホーム画面ＰＳ１１である。すなわち、図１６に示す例では、操作パネル２００に現在表示されているパネル画面ＰＳ１がホーム画面ＰＳ１１であり、ホーム画面ＰＳ１１に対応する画面データを第２操作端末３０２がＭＦＰ１００から受信したということである。
【０１１５】
なお、ＭＦＰ１００は、第１操作端末３０１および第２操作端末３０２の両方に対して同じ画面データを送信する。したがって、第１画面１０のパネル表示領域Ｒ１１および第２画面２０のパネル表示領域Ｒ２１にはそれぞれ同じパネル画面ＰＳ１が表示される。たとえば、第１操作端末３０１が第１画面１０内にホーム画面ＰＳ１１を表示しているときには（図８参照）、第２操作端末３０２は第２画面２０内にホーム画面ＰＳ１１を表示する（図１６参照）。
【０１１６】
画面共有モードでは、第１操作端末３０１の端末制御部３１０は、第１画面１０の表示中、第１画面１０内のパネル画面ＰＳ１に対するタッチ操作の受け付けを端末タッチスクリーン３ＴＳに行わせる。一方で、第２操作端末３０２の端末制御部３１０は、第２画面２０の表示中、第２画面２０内のパネル画面ＰＳ１に対するタッチ操作の受け付けを端末タッチスクリーン３ＴＳに行わせない。
【０１１７】
すなわち、第２操作端末３０２のユーザーが第２画面２０内のパネル画面ＰＳ１に対してタッチ操作を行っても、第２操作端末３０２からＭＦＰ１００には操作データが送信されない。したがって、操作パネル２００に表示されたパネル画面ＰＳ１は遷移しない。また、第２画面２０内のパネル画面ＰＳ１も遷移しない。
【０１１８】
第１操作表示端３０１の端末制御部３０１は、第１画面１０内のパネル画面ＰＳ１に対するタッチ操作をユーザーから受け付けると、通常モードと同様、ユーザーから受け付けた操作を示す操作データをＭＦＰ１００に送信する（図１５参照）。ＭＦＰ制御部１１０は、第１操作端末３０１からの操作データを受信すると、通常モードと同様、第１操作端末３０１から受信した操作データで示される対象操作が操作パネル２００に対して実際に行われた場合に操作パネル２００に表示すべきパネル画面ＰＳ１を操作パネル２００に表示させる。
【０１１９】
また、ＭＦＰ制御部１１０は、通常モードと同様、操作パネル２００に対して対象操作が実際に行われた場合に操作パネル２００に表示すべきパネル画面ＰＳ１（操作パネル２００が現在表示しているパネル画面ＰＳ１）の表示に必要な画面データを第１操作端末３０１に送信する（図１５参照）。そして、このとき、ＭＦＰ制御部１１０は、第２操作端末３０２に対しても、第１操作端末３０１に送信した画面データと同じ画面データを送信する（図１５参照）。
【０１２０】
第１操作端末３０１は、ＭＦＰ１００からの画面データを受信すると、通常モードと同様、ＭＦＰ１００から受信した画面データに対応するパネル画面ＰＳ１を第１画面１０のパネル表示領域Ｒ１１に表示する。第２操作端末３０２は、ＭＦＰ１００からの画面データを受信すると、ＭＦＰ１００から受信した画面データに対応するパネル画面ＰＳ１を第２画面２０のパネル表示領域Ｒ２１に表示する。このときに第２画面２０のパネル表示領域Ｒ２１に表示されるパネル画面ＰＳ１は、第１画面１０のパネル表示領域Ｒ１１に表示されるパネル画面ＰＳ１と同じである。
【０１２１】
たとえば、第１操作端末３０１がＭＦＰ１００との間で操作データおよび画面データの送受信を繰り返したことにより、第１画面１０内のパネル画面ＰＳ１が図１２に示したように遷移したとする。この場合には、ＭＦＰ１００から第２操作端末３０２に対して、コピー画面ＰＳ１２の画面データ、カラー設定画面ＰＳ１３の画面データ、コピー画面ＰＳ１２の画面データおよびエコプリント設定画面ＰＳ１４の画面データがこの順番で送信される。このため、第２操作端末３０２が表示する第２画面２０内のパネル画面ＰＳ１は、図１７に示すように遷移する。
【０１２２】
なお、ＭＦＰ１００が画面共有モードで動作しているとき、第１操作端末３０１のユーザーがロックボタンＢ６（図１４参照）に対してタッチ操作を行う場合がある。この場合、第１操作端末３０１の端末制御部３１０は、ＭＦＰ１００に表示制限命令を送信する。表示制限命令を受信すると、ＭＦＰ制御部１１０は、通常モードと同様、表示制限が解除されるまで、操作パネル２００の表示を停止させる。さらに、ＭＦＰ制御部１１０は、表示制限が解除されるまで、第２操作端末３０２に画面データを送信しない。
【０１２３】
また、ＭＦＰ制御部１１０は、対象操作が設定項目の設定値を設定する操作であった場合、通常モードと同様、対象操作を受けた対象設定項目の設定値を操作パネル２００に対して対象操作が実際に行われた場合の設定値に設定するための設定データを第１操作端末３０１に送信する（図１５参照）。そして、このとき、ＭＦＰ制御部１１０は、第２操作端末３０２に対しても、第１操作端末３０１に送信した設定データと同じ設定データを送信する（図１５参照）。
【０１２４】
ここで、第２操作端末３０２は、第１操作端末３０１が行う記録処理と同様の記録処理を行う。すなわち、設定再現情報３Ａや表示再現情報３Ｂを第２操作端末３０２にも不揮発的に記憶させることができる。
【０１２５】
第２操作端末３０２に記録処理を行わせるため、図１６に示すように、第２画面２０には記録ボタンＢ２１が配される。第２画面２０の記録ボタンＢ２１に割り当てられた機能は第１画面１０の記録ボタンＢ１１に割り当てられた機能と同じである。すなわち、第２操作端末３０２の端末制御部３１０は、記録開始操作の受け付けから記録終了操作の受け付けまでの記録期間にＭＦＰ１００から受信した設定データを含む設定再現情報３Ａを自機の端末記憶部３２０に不揮発的に記憶させる。さらに、第２操作端末３０２の端末制御部３１０は、記録開始操作の受け付けから記録終了操作の受け付けまでの記録期間に行った第２画面２０のパネル表示領域Ｒ２１でのパネル画面ＰＳ１の表示処理を再現するための表示再現情報３Ｂを自機の端末記憶部３２０に不揮発的に記憶させる。第２操作端末３０１に記憶させる設定再現情報３Ａや表示再現情報３Ｂの各ファイル名は第２操作端末３０２のユーザーが任意に設定することができる。なお、第２操作端末３０２のユーザーは設定再現情報３ＡをＭＦＰ１００に不揮発的に記憶させることもできる。
【０１２６】
また、第２画面２０には編集ボタンＢ２２が配される。第２画面２０の編集ボタンＢ２２に割り当てられた機能は第１画面１０の編集ボタンＢ１４に割り当てられた機能と同じである。すなわち、第２操作端末３０２の端末制御部３１０は、編集ボタンＢ２２に対するタッチ操作を検知すると、ユーザー指定の設定再現情報３Ａ（記憶済みの設定再現情報３Ａ）の編集をユーザーから受け付けるための画面を表示する。このときに第２操作端末３０２が表示する画面は、第１操作端末３０１が編集ボタンＢ１４に対する操作をユーザーから受け付けた場合に表示する画面と同様である。第２操作端末３０２の端末制御部３１０は、ユーザーによる編集が終了したとき、編集前の設定再現情報３Ａに代えて、編集後の設定再現情報３Ａを自機の端末記憶部３２０に新たに不揮発的に記憶させる。
【０１２７】
なお、第２画面２０には切替ボタンＢ２３（「Ｒｅｑｕｅｓｔ  ｔｏ  ｂｅ  Ｍｏｄｅｒａｔｏｒ」と表記されたソフトウェアボタン）が配される。第２操作端末３０２の端末制御部３１０は、切替ボタンＢ２３に対するタッチ操作をユーザーから受け付けると、ＭＦＰ１００に切替要求を送信する。ＭＦＰ制御部１１０は、第２操作端末３０２から切替要求を受信すると、リモート操作の受け付けを許可する操作端末３００とリモート操作の受け付けを許可しない操作端末３００とを切り替える処理を行う。
【０１２８】
たとえば、ＭＦＰ制御部１１０は、切替要求を受信すると、リモート操作の受け付けが現在許可されている操作端末３００に対して切替通知を送信する。切替通知を受信した操作端末３００の端末制御部３１０は、切り替えを許可するか否かをユーザーから受け付け、許可する旨をユーザーから受け付けると、ＭＦＰ１００に許可通知を送信する。
【０１２９】
ＭＦＰ制御部１１０は、許可通知を受信すると、リモート操作の受け付けが現在許可されている操作端末３００に対して不許可命令を送信する。一方で、ＭＦＰ制御部１１０は、切り替えを要求した操作端末３００（リモート操作の受け付けが現在許可されていない操作端末３００）に対して許可命令を送信する。
【０１３０】
不許可命令を受信した操作端末３００は、現在表示中の第１画面１０に代えて、第２画面２０を新たに表示する。許可命令を受信した操作端末３００は、現在表示中の第２画面２０に代えて、第１画面１０を新たに表示する。すなわち、第１操作端末３０１が第２操作端末３０２に切り替わり、第２操作端末３０２が第１操作端末３０１に切り替わる。これにより、簡単に、リモート操作の受け付けが許可されている操作端末３００とリモート操作の受け付けが許可されていない操作端末３００とを切り替えることができるので、ユーザーにとっては利便性が良い。
【０１３１】
また、図１６に示すように、第２画面２０には、接続確認ボタンＢ２４（「Ｓｅｅ  ｗｈｏ  ｉｓ  ｃｏｎｎｅｃｔｅｄ」と表記されたソフトウェアボタン）が配される。第２操作端末３０２の端末制御部３１０は、接続確認ボタンＢ２４に対するタッチ操作をユーザーから受け付けると、ＭＦＰ１００に現在接続されている複数の操作端末３００の各ユーザーのユーザー情報（たとえば、ユーザー名）がリストアップされたリスト画面（図示せず）を表示する。たとえば、第１操作端末３０１のユーザーのユーザー情報には所定情報（第１操作端末３０１のユーザーであることを示す情報）が付加される。このようなリスト画面が第２操作端末３０２に表示されると、切替要求を行っても問題が無いか否かを判断することができるので、第２操作端末３０２のユーザーにとっては利便性が良い。
【０１３２】
本実施形態の構成では、ＭＦＰ１００（電子機器）の複数のユーザーがそれぞれ所有する複数の操作端末３００をＭＦＰ１００に通信可能に接続すれば、ＭＦＰ１００の操作パネル２００に表示される画面を複数の操作端末３００の全てに表示させることができる。
【０１３３】
ここで、複数の操作端末３００のうち第１操作端末３０１は、パネル画面ＰＳ１に対する操作をユーザーから受け付ける。そして、第１操作端末３０１は、パネル画面ＰＳ１に対する操作を受け付けると、ＭＦＰ１００に操作データを送信する。ＭＦＰ１００は、操作データを受信すると、第１操作端末３０１に画面データを送信する。第１操作端末３０１は、画面データを受信すると、現在表示中のパネル画面ＰＳ１に代えて、今回受信した画面データに基づくパネル画面ＰＳ１を表示する。
【０１３４】
一方で、複数の操作端末３００のうち第２操作端末３０２は、パネル画面ＰＳ１に対する操作をユーザーから受け付けない。しかし、ＭＦＰ１００は、第１操作端末３０１から操作データを受信すると、第１操作端末３０１だけでなく、第２操作端末３０２にも画面データを送信する。第２操作端末３０２は、画面データを受信すると、現在表示中のパネル画面ＰＳ１に代えて、今回受信した画面データに基づくパネル画面ＰＳ１を表示する。
【０１３５】
すなわち、本実施形態の構成では、第１操作端末３０１のユーザーがＭＦＰ１００に対してリモート操作（第１操作端末３０１に表示されたパネル画面ＰＳ１に対する操作）を行うことにより第１操作端末３０１からＭＦＰ１００に操作データが送信され、それに伴い操作パネル２００のパネル画面ＰＳ１が遷移した場合（操作パネル２００の状態が変化した場合）、操作パネル２００の遷移後のパネル画面ＰＳ１が第１操作端末３０１だけでなく第２操作端末３０２にも表示される。これにより、リモート操作の操作者（第１操作端末３０１のユーザー）以外の特定ユーザー（第２操作端末３０２のユーザー）にも操作パネル２００の状態を漏れなく確認させることができる。たとえば、操作パネル２００の操作指導などを行う場合に有効である。この場合には、指導者の操作端末３００が第１操作端末３０１となり、受講者の操作端末３００が第２操作端末３０２となるよう予め設定しておけばよい。
【０１３６】
また、本実施形態の構成では、第２操作端末３０２のユーザーからすると、ＭＦＰ１００の近傍に赴かなくても、操作パネル２００の状態を確認することができるので、利便性が良い。さらに、本実施形態の構成では、第２操作端末３０２はパネル画面ＰＳ１に対する操作を受け付けない。すなわち、第２操作端末３０２はＭＦＰ１００に操作データを送信しない。したがって、第１操作端末３０１および第２操作端末３０２の両方からＭＦＰ１００に操作データが送信されるという不都合は生じない。
【０１３７】
また、本実施形態では、上記のように、ＭＦＰ１００は、対象操作が設定項目の設定値を設定する操作であった場合、対象操作を受けた対象設定項目を認識し、対象設定項目の設定値を操作パネル２００に対して対象操作が行われた場合の設定値に設定するための設定データを第１操作端末３０１および第２操作端末３０２に送信する。第１操作端末３０１および第２操作端末３０２は、記録開始操作と記録終了操作とを受け付け、記録開始操作の受け付けから記録終了操作の受け付けまでに受信した設定データを１まとめにした設定再現情報３Ａを記憶する。これにより、第１操作端末３０１のユーザーが行った設定に対応する設定再現情報３Ａを第１操作端末３０１だけでなく第２操作端末３０２にも記憶させておくことができる。さらに、記録開始および記録終了を任意のタイミングで行えるので、ユーザーにとって必要な設定データだけを選択的に設定再現情報３Ａに含めることができる。
【０１３８】
なお、設定再現情報３Ａが記憶された操作端末３００は、記憶済みの設定再現情報３Ａに含まれる設定データを編集する編集操作を受け付ける。これにより、記憶済みの設定再現情報３Ａから不要な設定データ（設定再現処理の実行時に設定値をデフォルト値に保持しておきたい設定項目に対応する設定データ）を削除することができる。設定再現情報３Ａから削除された設定データに対応する設定項目の設定値は、当該設定再現情報３Ａに基づく設定再現処理が実行されてもデフォルト値に保持される。
【０１３９】
また、本実施形態では、上記のように、第１操作端末３０１および第２操作端末３０２は、記録開始操作と記録終了操作とを受け付け、記録開始操作の受け付けから記録終了操作の受け付けまでに行ったパネル画面ＰＳ１の表示処理を再現するための表示再現情報３Ｂを記憶する。そして、表示再現情報３Ｂが記憶された操作端末３００は、予め定められた表示再現操作を受け付けると、記憶済みの表示再現情報３Ｂに対応する表示処理を再現する。これにより、ＭＦＰ１００に対するリモート操作が行われていた期間における操作パネル２００でのパネル画面ＰＳ１の遷移を後から確認することができるので、ユーザーにとっては利便性が良い。また、第１操作端末３０１だけでなく第２操作端末３０２にも表示再現情報３Ｂを記憶させておくことができる。さらに、記録開始および記録終了を任意のタイミングで行えるので、ユーザーが後から確認したい画面遷移に関するデータだけを選択的に表示再現情報３Ｂに含めることができる。
【０１４０】
また、本実施形態では、上記のように、第１操作端末３０１は、表示制限を行うための表示制限操作を受け付けると、ＭＦＰ１００に表示制限指示を送信する。そして、ＭＦＰ１００は、表示制限指示を受信すると、表示制限が解除されるまで、操作パネル２００の表示を停止するとともに、第２操作端末３０２への画面データの送信を停止する。これにより、第１操作端末３０１のユーザーからすると、自身が行っている設定を他のユーザーに見られないようにすることができるので、利便性が良い。
【０１４１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１４２】
１００  ＭＦＰ（電子機器）
２００  操作パネル
３００  操作端末
３０１  第１操作端末
３０２  第２操作端末
【図１】
2019090871.tif 000003
【図２】
2019090871.tif 000004
【図３】
2019090871.tif 000005
【図４】
2019090871.tif 000006
【図５】
2019090871.tif 000007
【図６】
2019090871.tif 000008
【図７】
2019090871.tif 000009
【図８】
2019090871.tif 000010
【図９】
2019090871.tif 000011
【図１０】
2019090871.tif 000012
【図１１】
2019090871.tif 000013
【図１２】
2019090871.tif 000014
【図１３】
2019090871.tif 000015
【図１４】
2019090871.tif 000016
【図１５】
2019090871.tif 000017
【図１６】
2019090871.tif 000018
【図１７】
2019090871.tif 000019